(57)【要約】      （修正有）【課題】共に組み立てられることが可能なプラグおよびソケット構造体を提供する。【解決手段】プラグおよびソケット構造体は、あらゆる種のピンレイアウトおよびピンカウントのオス／メス・コネクタを形成するために、複数のプラグまたはソケットを接続する突出部分２０２と陥凹２０８が備わる。【選択図】図２ａ
2010113832.tif 000002
【特許請求の範囲】
【請求項１】
本体部分から構成される、結合プラグおよびソケット構造体であって、
コネクタを形成するため、前記結合プラグおよびソケット構造体と少なくとも一つの他の前記結合プラグおよびソケット構造体を結合するよう、前記本体部分の側壁に少なくとも一つの連結部材が形成される、結合プラグ及びソケット構造体。
【請求項２】
前記コネクタは、あらゆる型の電子デバイスのための伝送端末として使用される、様々なピンカウントおよびピンレイアウトを有する、請求項１に記載の結合プラグおよびソケット構造体。
【請求項３】
さらに、前記結合プラグおよびソケット構造体に結合される伝送回線から構成される、請求項１に記載の結合プラグおよびソケット構造体。
【請求項４】
前記連結部材は、対応するほぞ穴のあるほぞ、または対応する蟻継ぎ凹部のある蟻継ぎほぞである、請求項１に記載の結合プラグおよびソケット構造体。
【請求項５】
さらに、すべてのプラグ装置およびソケット装置を認識するため、認識番号が前記構造体上に形成される、請求項１に記載の結合プラグおよびソケット構造体。
【発明の詳細な説明】
【技術分野】
【０００１】
本発明は概して、プラグおよびソケットの構造体に関する。より詳細には、種々のオス／メス・コネクタを形成するために組み立てられることが可能な、結合プラグおよびソケットの構造体に関する。
【０００２】
現在のエレクトロニクス産業で使用される端末機またはコネクタの構造体のほとんどは、電気接続またはデータ送信のために使用される、オスおよびメス・コネクタの設計である。様々な端末機およびコネクタはこれまで、あらゆる種の産業分野での送信仕様および消費家電、二、三の例を挙げると、オーディオ／ビデオ（ＡＶ）端末、Ｓ端末、コンポーネント端末、ＤＶＩ（デジタル・ビジュアル・インターフェース）端末、および最も多く出回る、ハイビジョンビデオ信号を送るためのＨＤＭＩ（ハイビジョン・マルチメディア・インターフェース）端末などを実現させるため開発された。プリント基板の適用では、回路基板を電子コンポーネント、フラットケーブル、および他の周辺機器またはハードウェア機器との接続のため、オス‐メス接続の方法が使用される。例として、図１に、従来のハードディスクとマザーボード間の接続のためのフレキシブルフラットケーブル（ＦＣＣ）コネクタの概略図を示す。フラットケーブル１００は、対応するボックスヘッダー１０４がマザーボード１０７に固定され溶接されるのに対し、通常その自由端にメスヘッダー１０２が備わる。メスヘッダー１０２およびボックスヘッダー１０４の接続により、その間のデータ信号の送信が可能になる。図に示されるように、ボックスヘッダー１０４は、接続を支持するためマザーボード１０７上に配列して溶接される二列のピン１０６を有する。ピンはそれぞれ、メスヘッダー１０２上に対応するソケットを有する。さらに、すべてのソケットは電気接続を確立するため、接続されるそれらに対応するワイヤー１０８を有する。
【０００３】
オス／メス・コネクタ構造体の設計は、エレクトロニクス産業の中で、特に様々な周辺機器をマザーボードと接続する必要があるもの、供給ワイヤー、データケーブル、ＣＰＵソケット、ＲＡＭスロット、などのために広く使用される。送信仕様は、電子製品がますます強大になるにつれ変更および修正される。したがって、この要求を実現させるため、異なるピンカウント、ピン長さ、ピッチ、およびソケット数など、それぞれのその特性が備わって、オスおよびメス・コネクタの構造体が多様化される。従来のＡＴＸ仕様（アドバンス・テクノロジー・エクステンデット）の主要電源供給のヘッダーは、例として、ＡＴＸ  １２Ｖの仕様のそれが４ピン構造であるのに対し、２４ピン構造である。さらに、フロッピー（登録商標）用フラットケーブルコネクタは３４ピン構造であり、ＡＴＡ／ＩＤＥ（アドバンスト・テクノロジー・アタッチメント／インテグレイテッド・デバイス・エレクトロニクス）用フラットケーブルコネクタ、およびＵＤＭＡ仕様（ウルトラ・ダイレクト・メモリー・アクセス）用のフラットケーブルコネクタは８０ピンコネクタ構造である。ピンカウントの変化以外に、様々なコネクタでのピンレイアウトもまた、大きく異なりうる。例として、前述のＡＴＸ  １２Ｖ仕様用ボックスヘッダーは、２×２配列の４ピン配置である。同じ４ピン配置内でも、ハードディスクまたはＣＤ−ＲＯＭプレイヤー用の電源ワイヤーは一列の４ピン配置である。ヘッダー仕様は、将来ますます電子製品および技術の開発の目的とされるであろうことが予期できる。
【発明の開示】
【０００４】
現在のコネクタの可能な修正および今後開発される新しい送信仕様を達成するため、本発明は、新奇な、従来のプラグおよびソケットの更新性を強化するための結合型構造体を提供する。本発明の構造体は、異なる形状およびピンレイアウトのピンヘッダーまたはメスヘッダーを形成するよう互いに結合される、複数のプラグおよびソケットから成る。
【０００５】
本発明のプラグ装置およびソケット装置は、結合されたオス・コネクタまたはメス・コネクタを形成するために連結するほぞおよびほぞ穴部分が備わる。さらに、プラグ装置およびソケット装置は、電子接続を得る直線のオスヘッダーまたは配列されたメスヘッダーの構造体を形成するため、イコールピッチでフラッシュジョイントされる。
【０００６】
本発明の目的は、異なるピンレイアウトおよびピンカウントのオス／メス・コネクタを形成するための、結合できるプラグおよびソケット構造体を提供することである。
【０００７】
本発明の特徴および利点同様、前述の形状および他の形状、目的、および態様は、目下の好適な実施例の詳細な説明に従って、付随の図面と併せて読むことによりさらに明らかになる。詳細な説明および図面は本発明の例証にすぎず、追随する特許請求の範囲およびその同等のものにより定められる本発明の範囲を制限するものではない。
【発明を実施するための最良の形態】
【０００８】
本発明はここで、本発明の好適な実施例および添付の図面により詳細に説明される。しかしながら、本発明の好適な実施例は例証のためのみのものであることが認識されなければならない。ここで言及される好適な実施例に加えて、本発明は明白に記述される実施例以外にも広い範囲の他の実施例に実施されることが可能であり、および本発明の範囲は、追随する特許請求の範囲に特定されるものを除いては、制限されるものでないことが明確である。
【０００９】
ここで、本発明の実施例の結合プラグ装置２０１の一つを示す図２ａを参照する。本発明の結合プラグは様々な構造と形を有する。図面に示されるように、すべての個別のプラグ装置は、本体部分２０３、ワイヤー部分２０５、およびピン部分２０７から成る。プラグ装置２０１のワイヤー部分２０５は、電気接続を提供するため本体部分２０３内のピン部分２０７に連結される。ワイヤー部分２０５は本体部分２０３の上面から延びる。ワイヤー部分２０３のもう一方の端は、同一の結合プラグまたはデータ送信のための他のコネクタに連結されうる。プラグ装置２０１のピン部分２０７は本体部分２０３にしっかりと接着され、および本体部分２０３内のワイヤー部分２０５にも連結される。ピン部分２０７は電気接続を得るため、対応するソケットの中に挿入されることが可能である。追随する実施例で詳細が説明される。
【００１０】
本発明のプラグ装置２０１を図２ａの左で示すように、本発明の実施例では本体部分２０３は長方形である。二つの円形のほぞ２０９が組み立てのため、合致するほぞ穴と連結するよう側壁に形成される。図２ａの真ん中では、二つの円形ほぞ穴２０８がプラグ装置２０１の側壁に形成される。ほぞ穴２０８は、ほぞを受容しかつ互いに連結する寸法である。本発明の実施例ではより良い更新性を得るため、他のプラグ装置の構成が提供されうる。図２ａの右に示されるように、本体部分２０３の前面の側壁に形成された二つのほぞ２０２以外に、さらに二つのほぞ２０４が、本体部分２０３の他の側壁に形成される。ほぞ２０２およびほぞ２０４は、特定のピンレイアウトの複雑なピンヘッダー構造体を形成するため、それぞれ異なる方向でプラグ装置に連結されることが可能である。
【００１１】
ここで、図２ａに示された結合プラグ装置によるピンヘッダー構造の概略図である、図２ｂを参照する。図に示されるように、プラグ装置２０１は本体部分２０３で連結部材（ほぞおよびほぞ穴など）によって互いに結合される。複数の結合プラグ装置２００は、イコールピッチの一列のピンヘッダー２０６を形成することが可能である。単列配置以外に、複数列の構造体もまた本発明の実施例で提供される。図２ｃに示されるように、結合プラグ装置２０１は、ほぞ２０２および異なる側面のほぞ２０４によって自由配置を得ることができる。さらに使用者は、様々なオス／メス・コネクタを形成およびより良い更新性を達成するために、本体部分２０３の寸法、ピン部分２０７の長さおよび厚さ、データ送信のためのワイヤー部分２０５の型を含む、使用される結合プラグ装置２０１の希望の数および大きさを決定することが可能である。
【００１２】
本発明の他の実施例では、図２の結合プラグ装置２０１に対応するソケット装置３０１が図３ａに提供される。図では、結合ソケット装置３０１は、本体部分２０３と類似する長方形の本体部分３０３を有する。図に示される円形のほぞ３０５およびほぞ穴３０７を含む、異なる連結部材が本体部分３０３の側壁に形成される。特殊な形のメスヘッダーを形成するため、複数のソケット装置３０１が互いに結合されうる。本体部分３０３は、基部またはプリント基板に固定および溶接される。開口３０９が本体部分３０３の頂部に形成されることにより、電気接続を確立するため、対応するピン部分の挿入が可能になる。ピン部分は挿入後、良い接続状態を継続するため本体部分３０３に固く留められる。図２ａと同様に、結合ソケット装置３０１は図３ｂおよび図３ｃに示されるように連結部材によって、異なる大きさおよび形のメスヘッダー３０２を形成しうる。図３ｂおよび図３ｃの結合されたメスヘッダー３０２は、電気接続を得るため図２ｂおよび図２ｃの対応するピンヘッダー２０６と接続することが可能である。
【００１３】
結合プラグ装置２０１によって形成されるピンヘッダー２０６構造体は、メスヘッダー３０２に接続するためにフラットケーブルの自由端に配置されるのに対し、結合ソケット装置３０１によって形成されるメスヘッダーは、回路基板に溶接されることに注目しなければならない。しかし他の実施例では、使用者の考えによりソケット基部３０２構造がフラットケーブルの自由端になるのに対し、ピンヘッダーｅ２０６構造体もまた回路基板に溶接される。
【００１４】
本発明のまた他の実施例では、結合プラグおよびソケットは図２とは異なる連結部材によって結合されることが可能である。図４ａおよび図４ｂに示すように、ソケット装置４０１の構造体および蟻継ぎ結合部材のあるメスヘッダー４０２が、それぞれ提供される。図では、全ての結合ソケット装置４０１は結合特性を提供するため、図に示される蟻継ぎほぞ４０５および蟻継ぎ凹部４０９のような異なる連結部材が上に形成される長方形の本体部分４０３を有する。ソケット装置４０１の蟻継ぎほぞ４０５は、二つのソケット装置を連結するために、他のソケット装置４０１の蟻継ぎ凹部４０６の中にスライドされることが可能である。図４ｂに示されるように、複数のソケット装置は、特殊な形またはピンレイアウトのメスヘッダーを形成するため互いに結合されうる。本実施例では、異なる大きさおよび形のメスヘッダーが蟻継ぎ部材の連結によって得られうる。結合されたメスヘッダー４０２は、電気接続を確立するため対応するピンヘッダーに接続されることが可能である。実施例の図面は説明のためのみのものであり、ソケット装置４０１のすべての蟻継ぎ部材は、形または数が特定されるものではないということに注目しなければならない。例として、ある単一ソケット装置４０１は二つの蟻継ぎほぞ４０５または凹部４０９がより良い安定性を得るために備わりうる。そして本体部分の蟻継ぎ部材の大きさもまた、異なりうる。さらに、蟻継ぎ結合の方法は、前述の結合プラグ装置に適用されることが可能である。図５ａに、蟻継ぎ部材のあるダブルヘッドのプラグ装置５００を示す。ダブルヘッドプラグ装置５００はピン部分５０１を両側に有し、二つの蟻継ぎほぞ５０５および二つの蟻継ぎ凹部５０７は特殊なピンヘッダーを形成するため、他のプラグ装置５００と連結するよう本体部分５０３の側壁に形成される。図５ｂは通常のダブルヘッドピンヘッダーの構造体を示す。図５ｂのピンヘッダーは蟻継ぎ結合の１２個のプラグ装置５００から成る。本発明の設計は、従来のプラグおよびソケット装置との組み合わせで、様々なオス／メス・コネクタに適用されることも可能であることに注目しなければならない。他の例は、ダブルヘッドピンヘッダーの不規則な構造体を示す図５ｃに示される。本発明では、あらゆる種のピンレイアウトおよびピンナンバーは、プラグ装置およびソケット装置の配置が実施される限り、それぞれの連結部材の連結によって得られることが可能である。さらに、本発明のプラグ装置およびソケット装置は、より良い更新性およびより広い適用のためにプラグおよびソケットの両特性から構成される構造を形成するよう、代替的に結合されうる。
【００１５】
加えて、本発明のプラグおよびソケットは種々の複雑なオス／メス・コネクタ構造体を形成するよう結合されることが可能であるため、多数の同一のプラグ装置およびソケット装置の中で、すべての挿入装置を認識することが重要である。したがって、図６は認識番号の特徴を持つ結合プラグおよびソケット構造体を示す。この図では、認識番号６０５はすべての装置の本体部分の空白の側壁に形成される。結合前に使用者は、記号およびそれらの対応するピンおよび機能を決定してもよい。例として、番号“１”は電源オンのピンを意味し、番号“２”はリセットピンを、番号“３”、“４”、“５”はそれぞれの供給ポート（ＰＷ１、ＰＷ２、ＰＷ３）ピンを意味する、などが挙げられる。ナンバーおよび結合装置の順番が決められた後、使用者はプラグ装置かつ／またソケット装置を、統合されたピンヘッダーかつ／また様々な形およびピンレイアウトのメスヘッダーに結合してもよい。
【００１６】
ＰＣＢボードに適用された結合プラグ装置およびソケット装置を示す、図７を参照する。本発明の最も好ましい利点は、使用者の要求、またはあらゆる種類の回路設計およびレイアウトに適合する配置による、様々なオス／メス・コネクタ構造体を得ることが可能なことである。図７の実施例に示されるように、チップ７０１、コンデンサ７０３、レジスタ７０５など、あらゆる種類の回路装置は回路基板７００の特定の場所に配置される。標準の回路基板の配置のために、回路設計者は通常、図に示された供給ワイヤーのためのメスヘッダー７０６などのような、配置されるあらゆる種のＩ／Ｏ端子用にいくらかの長方形区域を確保する。それら高密度デバイス回路基板のために、配置に使用する充分な長方形区域を確保するのは難しい。故に、本発明の不規則なオス／メス・コネクタ構造体の設計はあらゆる種の回路レイアウトに適合する。図７に示されるように、Ｕ字型ピンヘッダー７０７は回路基板７００のチップ７０１周辺に配置される。Ｕ字型ピンヘッダー７０７は、互いに結合された複数のプラグ装置によって形成され、および、対応するＵ字型メスヘッダー７０９は、電源供給またはデータ送信のための電気接続を得るよう、ピンヘッダー７０７に接続しうる。ピンヘッダー７０７およびメスヘッダー７０９の形は、長方形およびＵ字型に限らない。プラグ装置およびソケット装置の配置によって、形成されるいずれの形でも回路基板への適用に望ましい。ピンレイアウトは、より良い更新性および適合性を得るため、プラグ装置かつ／またソケット装置の容易な交換によって変更されることが可能である。
【００１７】
ここに開示された本発明の実施例は、目下好適な実施例と見なされるが、本発明の精神および範囲を逸脱しない範囲内で、様々な変更および修正がなされることが可能である。本発明の範囲は添付の特許請求の範囲に提示されており、および同等の意味および範囲内でのすべての変更は、この中に包括されることを意図する。
【図面の簡単な説明】
【００１８】
【図１】従来のフレキシブル・フラットケーブルコネクタを示す。
【図２ａ】本発明の一実施例による複数の結合プラグを示す。
【図２ｂ】本発明の一実施例による、図２ａに示された結合プラグによるピンヘッダー構造を示す。
【図２ｃ】本発明の一実施例による、図２ａの結合プラグによる不規則なピンヘッダー構造を示す。
【図３ａ】本発明の一実施例による複数の結合ソケットを示す。
【図３ｂ】本発明の一実施例による、図３ａの結合ソケットによるメスヘッダー構造を示す。
【図３ｃ】本発明の一実施例による、図３ａの結合ソケットによる不規則なメスヘッダー構造を示す。
【図４ａ】本発明の一実施例による、蟻継ぎ部材を有する複数の結合ソケットを示す。
【図４ｂ】本発明の一実施例による、図４ａに示された結合ソケットによるメスヘッダー構造を示す。
【図５ａ】本発明の一実施例による、蟻継ぎ部材を有するダブルヘッドプラグを示す。
【図５ｂ】本発明の一実施例による、図５ａに示された結合プラグによって形成された規則的なピンヘッダーを示す。
【図５ｃ】本発明の一実施例による、図５ａに示された結合プラグによって形成された不規則的なピンヘッダーを示す。
【図６】本発明の一実施例による、識別記号のある結合プラグおよびソケットによって形成されたピンヘッダーおよびメスヘッダーを示す。
【図７】本発明の一実施例による、回路基板上に適用された結合ピンヘッダーおよびメスヘッダーを示す。
【符号の説明】
【００１９】
１００．フラットケーブル
１０２．メスヘッダー
１０４．ボックスヘッダー
１０７．マザーボード
１０８．ワイヤー
２０１．結合プラグ装置
２０２．ほぞ
２０３．本体部分
２０４．ほぞ
２０５．ワイヤー部分
２０６．ピンヘッダー
２０７．ピン部分
２０８．ほぞ穴
２０９．ほぞ
３０１．結合ソケット装置
３０２．メスヘッダー
３０３．本体部分
３０５．ほぞ
３０７．ほぞ穴
３０９．開口
４０１．ソケット装置
４０２．メスヘッダー
４０３．本体部分
４０５．蟻継ぎほぞ
４０６．蟻継ぎ凹部
４０９．蟻継ぎ凹部
５００．ダブルヘッドプラグ装置
５０１．ピン部分
５０３．本体部分
５０５．蟻継ぎほぞ
５０７．凹部
６０１．装置
６０３．本体部分
６０５．認識番号
７００．回路基板
７０１．チップ
７０３．コンデンサ
７０５．レジスタ
７０６．メスヘッダー
７０７．Ｕ字型ピンヘッダー
７０９．メスヘッダー
【図１】
2010113832.tif 000003
【図２ａ】
2010113832.tif 000004
【図２ｂ】
2010113832.tif 000005
【図２ｃ】
2010113832.tif 000006
【図３ａ】
2010113832.tif 000007
【図３ｂ】
2010113832.tif 000008
【図３ｃ】
2010113832.tif 000009
【図４ａ】
2010113832.tif 000010
【図４ｂ】
2010113832.tif 000011
【図５ａ】
2010113832.tif 000012
【図５ｂ】
2010113832.tif 000013
【図５ｃ】
2010113832.tif 000014
【図６】
2010113832.tif 000015
【図７】
2010113832.tif 000016
【外国語明細書】
2010113832000001.pdf